(57)【要約】無線ネットワークにおいて同時データ送信を可能にするための方法は、第１のノードから第１の信号をブロードキャストするステップと、第２のノードによって第１の信号を受信するステップと、第１の信号から生じた第２の信号を第２のノードにより送信するステップとを含む。第２の信号は、第１のノードによって受信される。第３の信号が、第３のノードから第１のノードに送信されるのと同時に第２の信号を送信する。第１のノードは、第２の信号および第３の信号を含む合成信号を受信する。次に第１のノードは、第１の信号を使用して合成信号から第３の信号を復号する。
2013515431.tif 000002
【特許請求の範囲】
【請求項１】
無線ネットワークにおける同時データ送信のための方法であって、
第１のノードから第１の信号をブロードキャストするステップと、
第２のノードにより前記第１の信号を受信するステップと、
前記第１の信号から生じた第２の信号を前記第２のノードにより送信するステップであって、前記第２の信号は、前記第１のノードによって受信される、ステップと、
第３のノードから第３の信号を前記第１のノードに送信するのと同時に前記第２の信号を送信するステップであって、前記第１のノードが前記第２の信号および前記第３の信号を含む合成信号を受信する、ステップと、
前記第１のノードにおいて、前記第１の信号を使用して前記合成信号から前記第３の信号を復号するステップと、
を含む、前記方法。
【請求項２】
ブロードキャストするステップは、アクセスポイントからのブロードキャスト送信を含む、請求項１に記載の方法。
【請求項３】
第２のノードにより前記第１の信号を受信するステップは、中継ノードにより前記第１の信号を受信するステップを含む、請求項１に記載の方法。
【請求項４】
前記第１の信号から生じた第２の信号を送信するステップは、前記第１の信号を受信し、次に前記第１の信号を前記第２の信号として増幅して転送する中継ノードにより前記第２の信号を送信するステップを含む、請求項１に記載の方法。
【請求項５】
第４のノードにより前記第１の信号を受信するステップと、
前記第４のノードにより前記第２の信号を受信するステップと、
前記第４のノードにより、前記受信された第１の信号および前記受信された第２の信号の情報を使用して前記第１の信号を復号するステップと
をさらに含む、請求項１に記載の方法。
【請求項６】
前記第３のノードおよび前記第４のノードは、互いに隠されたノードである、請求項５に記載の方法。
【請求項７】
前記第１のノードにより、前記第２のノードによる前記第２の信号と前記第３のノードによる前記第３の信号との同時送信をスケジュールするステップをさらに含む、請求項１に記載の方法。
【請求項８】
第１のネットワークデバイスであって、
第１の信号をブロードキャストする送信機であって、前記データは、前記第１のネットワークデバイスの送信機会（ＴＸＯＰ）中にブロードキャストされる、送信機と、
前記第１のネットワークデバイスの前記ＴＸＯＰ中に、合成信号を受信する受信機であって、前記合成信号は、第２の信号および第３の信号を含み、前記第２の信号は、前記第１の信号から生じかつ第２のネットワークデバイスによって送信され、前記第３の信号は、第３のネットワークデバイスによって送信される、受信機と、
前記第１の信号を使用して前記合成信号から前記第３の信号を復号するプロセッサと、
を含む、前記第１のネットワークデバイス。
【請求項９】
前記復号は、アナログネットワーク復号を使用して行われる、請求項８に記載の第１のネットワークデバイス。
【請求項１０】
前記第１のネットワークデバイスはアクセスポイントである、請求項８に記載の第１のネットワークデバイス。
【請求項１１】
前記第２のネットワークデバイスは中継ノードである、請求項１０に記載の第１のネットワークデバイス。
【請求項１２】
コンピュータによって実行されるときに、
２つの異なるノードから２つの異なる信号の２つの同時送信をスケジュールするステップと、
第１のノードから第１の信号をブロードキャストするステップと、
第２のノードにより前記第１の信号を受信するステップと、
前記第２のノードにより、前記第１の信号から生じた第２の信号を送信するステップであって、前記第２の信号は、前記第１のノードによって受信される、ステップと、
第３の信号を、第３のノードから前記第１のノードに送信するのと同時に前記第２の信号を送信するステップであって、前記第１のノードは、前記第２の信号および前記第３の信号を含む合成信号を受信する、ステップと、
前記第１のノードにおいて、前記第１の信号を使用して前記合成信号から前記第３の信号を復号するステップと、
を含む方法を実行する命令を記憶するコンピュータ可読媒体。
【請求項１３】
無線ネットワークにおいて第１のデバイスによって行われる方法であって、
第１の信号をブロードキャストするステップと、
合成信号を受信するステップであって、前記合成信号は、一斉に受信される第２の信号および第３の信号を含み、前記第２の信号は、前記無線ネットワークにおいて前記第１の信号から生じかつ第２のデバイスによって送信され、前記第３の信号は、前記無線ネットワークにおいて第３のデバイスによって送信される、ステップと、
前記第１の信号を使用して前記合成信号から前記第３の信号を復号するステップと、
を含む、前記方法。
【請求項１４】
前記復号するステップは、アナログネットワーク復号を使用して行われる、請求項１３に記載の方法。
【請求項１５】
前記ブロードキャストのステップは、アクセスポイントから前記第１の信号をブロードキャストするステップを含み、
前記合成信号を受信するステップは、前記アクセスポイントにおいて前記合成信号を受信するステップであって、前記第２の信号は、前記無線ネットワークの中継ノードの送信から受信され、かつ、前記第３の信号は、前記無線ネットワークの別個のノードの送信から受信される、ステップと、
を含む、請求項１３に記載の方法。
【発明の詳細な説明】
【技術分野】
【０００１】
本発明は一般に、無線通信ネットワークに関し、より詳細にはそのようなネットワークにおいて同時送信を可能にするものに関する。
【背景技術】
【０００２】
無線ローカルエリアネットワーク（ＷＬＡＮ）は、アクセスポイント（ＡＰ）を介して２つまたはそれ以上のノードの無線接続を提供する。図１に概略的に示すように、ＷＬＡＮ１００は、２つのノードであるＮ２ １１０およびＮ１ １２０と、アクセスポイント（ＡＰ）１３０と、中継ノード１４０とを含む。ＷＬＡＮ１００の送信は、二方向、つまり、ノードがアクセスポイント１３０にデータを送信するアップリンク、または、アクセスポイント１３０がネットワーク１００のすべてのノードにデータをブロードキャストするダウンリンクで行われる。一般に、ソースノードは送信側ノードであり、宛先ノードは要望される受信側ノードである。どのノードも、送信側ノードであればソースノードとして、受信側ノードであれば宛先ノードとして機能することができる。
【０００３】
例示的なＷＬＡＮ１００において、ノード１１０およびノード１２０は、互いに隠されているノードである。つまり、ノード１１０およびノード１２０の両方は、アクセスポイント１３０から送信されたデータを受信することができるが、あるノード（例えば、ノード１１０）は、別のノード（例えば、ノード１２０）によって送信されたデータを受信することができないので、ノード１１０およびノード１２０を、互いに干渉しないものとみなすことができる。ＷＬＡＮ１００はさらに、アクセスポイント１３０と関連する中継ノード１４０を含む。中継ノード１４０は、ノード１１０とノード１２０との両方に使用可能な良好な通信チャネルを有するものとする。このように、中継ノード１４０は、ノード１１０およびノード１２０にデータを送受信することができる。
【発明の概要】
【発明が解決しようとする課題】
【０００４】
ＷＬＡＮにおけるデータの無線送信は、アップリンク送信とダウンリンク送信とを異なるタイムスロットに分割する必要がある、さまざまなＩＥＥＥ８０２．１１標準で定義される。従って、このような標準では、両方向に同時送信することができない。例えば、アクセスポイント１３０の送信機会（ＴＸＯＰ）中、アクセスポイント１３０は、データをノード１１０にブロードキャスト（ダウンリンク方向に）する。ここで、ＴＸＯＰは、送信機と指定された受信機との間でメッセージを交換する機会として定義される。ＴＸＯＰは、アクセスポイント１３０による送信だけでなく、指定された受信機からの期待応答(expected response)も含むことができる。アクセスポイント１３０によって送信されたデータは、中継ノード（ＲＮ）１４０およびノード１２０においても受信される。その後、ノード１１０のＴＸＯＰ中、データフレームは、ノード１１０によってアップリンク方向でアクセスポイント１３０に送信される。ノード１１０およびノード１２０は、互いに隠れているノードであるので、ノード１１０からのアップリンクデータをノード１２０において受信することができない。当業者には周知のように、アップリンク送信とダウンリンク送信とを分離するスケジューリング方式は、ＷＬＡＮ１００の少なともスループットを制限する。なぜなら、所定のノードのＴＸＯＰ中、アクセスポイントとの通信は、アップリンク方向か、ダウンリンク方向のいずれかで行うことしかできず、両方向で行うことができないからである。
【０００５】
従って、上記の制限を減らす解決策を与えることが有利であろう。
【課題を解決するための手段】
【０００６】
本発明の、ある実施形態は、無線ネットワークにおいて同時データ送信を可能にする方法を含む。その方法は、第１のノードから第１の信号をブロードキャストするステップと、第２のノードが第１の信号を受信するステップと、第２のノードが、第１の信号から生じた第２の信号を送信するステップとを含む。第２の信号は、第１のノードによって受信される。第３の信号が第３のノードから第１のノードに送信されるのと同時に第２の信号を送信する。第１のノードは、第２の信号および第３の信号を含む合成信号を受信する。次に第１のノードは、第１の信号を使用して合成信号から第３の信号を復号する。
【０００７】
本発明の、ある実施形態は、第１のネットワークデバイスをさらに含む。第１のネットワークデバイスは、第１の信号をブロードキャストする送信機であって、第１のネットワークデバイスの送信機会（ＴＸＯＰ）中にデータがブロードキャストされる、送信機と、第１のネットワークデバイスのＴＸＯＰ中に合成信号を受信する受信機であって、合成信号は第２の信号および第３の信号を含み、第２の信号は第１の信号から生じかつ第２のネットワークデバイスによって送信され、第３の信号は第３のネットワークデバイスによって送信される、受信機とを含む。第１のネットワークデバイスは、第１の信号を使用して、合成信号から第３の信号を復号するプロセッサを含む。
【０００８】
本発明の、ある実施形態はまた、無線ネットワークにおける同時データ送信の方法も含む。この方法は、第１のネットワークデバイスの送信機会（ＴＸＯＰ）中に第１の信号をブロードキャストすること、および、第１のネットワークデバイスのＴＸＯＰ中に合成信号を受信することを含み、合成信号は第２の信号および第３の信号を含み、第２の信号は第１の信号から生じかつ第２のネットワークデバイスによって送信され、第３の信号は第３のネットワークデバイスによって送信される。合成信号から第３の信号を復号することは、第１の信号を使用して第１のネットワークによって行われる。
【図面の簡単な説明】
【０００９】
本発明とみなされる主題は、本明細書の末尾の特許請求の範囲において詳細に示され、明確に特許請求される。本発明の上記および他の特徴と利点は、添付図面と併用される以下の詳細な説明によって明らかになるであろう。
【図１】例示的なＷＬＡＮを示す図である。
【図２ａ】本発明の態様に従って動作するＷＬＡＮを示す図である。
【図２ｂ】本発明の態様に従って動作するＷＬＡＮを示す図である。
【図２ｃ】本発明の態様に従って動作するＷＬＡＮにおけるノードの順次動作を示す図である。
【図３】本発明の一実施形態に従って同時データ送信を行うための例示的方法を説明するフローチャートである。
【図４】本発明の態様に従って構築されたネットワークデバイスのブロック図である。
【発明を実施するための形態】
【００１０】
本発明によって開示される実施形態は、本明細書の革新的な教示の多数の有利な使用のうちのほんの例であることに留意されたい。
【００１１】
本発明の原理に従って、ＷＬＡＮにおいて複数のノードからの同時データ送信の方法が提供される。これは、２つの隠されたノードが互いに干渉しないプロパティと、中継ノードによって送信されるデータの知識(knowledge)をアクセスポイントが有するプロパティとを利用することによって実現される。アップリンク方向の複数ノードとダウンリンク方向の複数ノードとの間で同時送信を可能にすることにより、システムスループットが増大する。
【００１２】
一実施形態に従って、システムは、協調中継(cooperative relay)と、隠れノードプロパティと、アナログネットワークコーディングとを用いることによって形成される。
本発明の特定の原理に従って、仮想ダウンリンク送信（ＶＤＴ）は、アクセスポイント１３０と１つの中継ノード１４０との間の協調によって達成される、ダウンリンク方向の送信として定義される。仮想アップリンク送信（ＶＵＴ）は、アナログネットワークコーディングを介してソースノード（例えば、ノード１１０）と中継ノード１４０との間の協調によって実現される、アップリンク方向の送信である。標準レート送信（ＲＲＴ）は、２つのノード、例えば、ノード１１０とアクセスポイント１３０との間のデータ送信であり、そのデータレートは、ノード１１０とアクセスポイント１３０との間のチャネル容量の範囲内である。
【００１３】
高レート送信（ＨＲＴ）は、２つのノード、例えば、ノード１２０とアクセスポイント１３０との間のデータ送信として定義され、そのデータレートは２つのノードである、ノード１２０とアクセスポイント１３０との間のチャネル容量を越えるが、協調中継システム容量の範囲内である。協調中継システムは、例えば、ノード１２０と、アクセスポイント１３０と、中継ノード１４０とを含む。この場合、宛先ノード（例えば、ノード１２０）は、アクセスポイント１３０のみからの受信に基づく受信データを復号することができない。なぜなら、宛先ノード１２０は、中継ノード１４０から受信される付加データが必要だからである。
【００１４】
アナログネットワークコーディングは、事前情報に基づいて信号を復号する動作である。例えば、２つのノードが信号を同時に送信する時、パケットが衝突し得る。しかしながら、衝突の結果として生じる信号は通常、減衰シフト、位相シフト、およびタイムシフトが損失した後の、２つの衝突信号の和である。従って、受信機ノードが、自身が望んでいる信号と干渉するパケットの内容を認識している場合、受信機ノードは、認識している信号に相当する信号を取り消すことができる。
【００１５】
本明細書に開示される同時送信方法は、２つの段階で行われる。図２Ａは、２つの段階に分かれたメッセージ交換の第１段階を表してある。第１段階では、アクセスポイント（ＡＰ）１３０はブロードキャスト送信機であり、受信機側であるノードＮ１ １２０と中継ノード（ＲＮ）１４０とで協調中継システムを形成する。アクセスポイント１３０は、高レート送信（ＨＲＴ）を使用して、ダウンリンクのデータ（信号Ｓ１）をノードＮ１ １２０および中継ノード１４０にブロードキャストして、ノードＮ１ １２０が自身の受信に基づいて復号することができないようにする。
【００１６】
図２Ｂは、同時送信方法の第２段階を示してある。第２段階では、中継ノード１４０は、先に受信した信号Ｓ１を増幅転送する。この増幅転送された信号は、Ｓ１’と指定される。信号Ｓ１’は、高レート送信（ＨＲＴ）を使用してＮ１ １２０に送信され、ノードＮ１ １２０が２つの段階における自身の受信に基づいて復号できるようにする。２つの段階を合わせて、Ｎ１ １２０に対する仮想ダウンリンク送信（ＶＤＴ）を形成する。中継ノード１４０は、各種の協調中継方式を使用することができる。一実施形態において、増幅−転送（Ａ＆Ｆ）協調中継方式が利用される。
【００１７】
第２段階において、アクセスポイント１３０は、ノードＮ２ １１０から信号、例えば、信号Ｓ２を受信するなどの、他のタスクを行うために使用可能であることに留意されたい。さらに、アクセスポイント１３０は、中継ノード１４０によって送信されたメッセージＳ１’も受信する。このように、アクセスポイント１３０において複数の同時送信が受信される。アクセスポイント１３０は、Ｓ１’とＳ２との混合信号からメッセージＳ２を復号することができる。なぜなら、アクセスポイント１３０はすでに、信号Ｓ１’の内容を認識しているからである。図２Ｂは、中継ノード１４０が信号Ｓ２を受信できることも示している。しかし、中継ノード１４０は、Ｓ１’を送信し、そして信号Ｓ２は、アクセスポイント１３０にアドレス指定されるので、中継ノード１４０における信号Ｓ２は、無視される。同様に、ノード１１０によって可能なＳ１’の受信も無視される。
【００１８】
図２Ｃは、無線ネットワークシステム１００におけるノードの動作を２段階で表したタイムラインを示してある。ステージ１において、アクセスポイント（ＡＰ）１３０は、信号Ｓ１の高レートブロードキャスト送信を生成する。ノードＮ１ １２０とノードＮ２ １１０と中継ノード（ＲＮ）１４０とは、高レートブロードキャスト送信信号Ｓ１を受信する。ステージ２において、中継ノード１４０は、Ｓ１’をノードＮ１ １２０に送信する、プログラムされた自身の機能を実行して、ノードＮ１が最終的にＳ１を復号することができるようにする。しかし、同時に、ノードＮ２ １１０は、中継ノード１４０とノードＮ２ １１０との両方が同時に送信できるように前もって設定されたスケジュールに従って、標準レート信号Ｓ２をアクセスポイント１３０に送信する。従って、アクセスポイント１３０は、メッセージＳ１’とメッセージＳ２との両方を、同じチャネル上で同時に受信する。通常、２つの異なるノードからの２つの異なるメッセージのこのような同時衝突は、アクセスポイント１３０では復号不可能であろう。しかしながら、発明の態様に従って、アクセスポイント１３０は、前もってメッセージＳ１を送信し、かつ自身が増幅転送した信号Ｓ１’も認識しているので、アクセスポイント１３０は、２つの送信Ｓ１’とＳ２とを同時に受信することができ、かつ以下に示された教示を用いて信号Ｓ２を復号することができる。
【００１９】
本発明の別の態様において、ダウンリンクデータとアップリンクデータとの両方は、同じＴＸＯＰタイムインターバルで送信される。図２Ｃの例において、中継ノード１４０は、高レート信号Ｓ１’をノードＮ１ １２０に送信する。元の信号Ｓ１は、ダウンリンク送信されている。従って、Ｓ１’は、ノードＮ１ １２０への、ダウンリンク情報の連続分配（再送信）を表す。ステージ２の同じタイムインターバルでは、ノードＮ２ １１０は、標準アップリンクレートで信号Ｓ２のアップリンク送信をアクセスポイント１３０に送信する。アクセスポイント１３０における信号Ｓ１’と信号Ｓ２とのこのような明白な衝突は、アクセスポイント１３０によって意図的にスケジュールされる。図２Ｃに示したＴＸＯＰタイムインターバルの前に、アクセスポイント１３０は、通信時間を確立して、図２Ａおよび図２Ｂのネットワークにおけるそれぞれのノードに使用されるメッセージで通信時間のタイムラインを送信している。従って、アクセスポイント１３０は、アップリンク送信とダウンリンク送信とを同じＴＸＯＰタイムインターバルで意図的にスケジュールする。図２Ａから図２Ｃの具体的な例の付加的態様として、ノードＮ２ １１０からアクセスポイント１３０へのアップリンク（Ｓ２）送信は、標準レート送信であり、中継ノード１４０からのダウンリンク（Ｓ１’）送信は、高レート送信である。
【００２０】
図３は、発明の一実施形態に従って実装される、ダウンリンク方向とアップリンク方向との両方でアクセスポイントへの、ノードの同時データ送信を行う方法を説明した例示的なフローチャート２００を示しているが、これに限定されない。この方法は、図２で示した無線ネットワーク１００を参照して説明される。
【００２１】
本発明の実施形態において、同時送信方法を２段階に分けることができる。両方の段階とも、ネットワークにおけるノードの送信機会（ＴＸＯＰ）タイムインターバルの範囲内で行われる。発明の範囲を限定することなく、アクセスポイント１３０のＴＸＯＰタイムインターバル中に同時送信が行われる具体的な実施形態を参照して、同時送信方法が説明される。
【００２２】
ステップＳ２１０において、協調中継システムが構成される。協調中継システムは、例えば、ノードＮ１ １２０と、アクセスポイント１３０と、中継ノード１４０とを含む。ノードＮ１ １２０は、信号Ｓ１内の情報を復号するために、ダウンリンク信号Ｓ１とダウンリンク信号Ｓ１’との両方の受信を必要とする。中継ノード１４０は、受信したダウンリンク信号Ｓ１を増幅して、その信号を信号Ｓ１’として送信することによって、この要求に適応する。別のノードＮ２ １１０は、アップリンク信号Ｓ２をアクセスポイント１３０に送信することができる。アクセスポイント１３０が、アップリンク信号Ｓ２とダウンリンク信号Ｓ１’の同時送信を許可することによって、帯域幅の効率的な利用が可能になる。アクセスポイント１３０は、Ｓ１信号をブロードキャストする前に、協調中継システムの活動を構成してスケジュールすることによって、この同時送信に適応する。
【００２３】
ステップＳ２２０において、アクセスポイント１３０の送信機会（ＴＸＯＰ）中、アクセスポイント１３０は、ＨＲＴを使用してデータをダウンリンク方向の信号Ｓ１経由でブロードキャストする。つまり、そのデータを受信したノード１２０によって、データを復号することができない。ダウンリンク方向に送信されたデータは、中継ノード１４０およびノード１１０によっても受信されることに留意されたい。
【００２４】
第２段階のステップＳ２３０において、中継ノード１４０は、高レート送信を使用して信号Ｓ１’経由で受信したダウンリンクデータをノード１２０に転送することによって、ステップＳ２２０およびステップＳ２３０において受信したデータに基づいてノード１２０が情報を復号できるようになる。中継ノード１４０は、データをノード１２０に送信する際、協調中継技術を任意に使用することができる。その技術は、増幅転送技術、復号転送技術などを含むが、これらに限定されない。例えば、増幅転送技術を利用する場合、ステップＳ２３０を完了した後、ノード１２０において受信した信号（ｒ1）は、以下のように表すことができる。
【００２５】
【数１】
2013515431.tif 000003
【００２６】
2013515431.tif 000004
【００２７】
一例において、ノード1、ノード2、ノードAP、およびノードRNはそれぞれ、ノード１２０、ノード１１０、アクセスポイント１３０、中継ノード１４０を表すことができる。
【００２８】
信号ｒ1は、２つのＮ1入力のベクトルである。第１のＮ1入力は、ステップＳ２２０におけるノード１２０によって受信された信号に相当する。第２のＮ1入力は、ステップＳ２３０におけるノード１２０によって受信された信号に相当する。
【００２９】
ステップＳ２４０において、ノード１２０は、無線信号の復号技術を任意に使用して、受信データ信号ｒ1を復号する。その復号技術は、最小平均二乗誤差（ＭＭＳＥ）、ゼロフォーシングなどを含むことができるが、これらに限定しない。
【００３０】
アクセスポイント１３０のＴＸＯＰの第２段階中に、ステップＳ２３０と同時に発生するステップＳ２３５において、ノード１１０は、標準レート送信を使用して、信号Ｓ２経由でデータをアップリンク方向でアクセスポイント１３０に送信する。ノード１１０とノード１２０とは、互いに隠れノードであるので、ノード１２０においてこの送信による干渉がない。このように、信号Ｓ１’はステップＳ２３０経由で、そして信号Ｓ２はステップＳ２３５経由で、アクセスポイント１３０によって同時に受信される。
【００３１】
ステップＳ２４５において、アップリンクデータ（Ｓ２）は、アクセスポイント１３０によって復号される。ステップＳ２４５における復号に適応するために、アクセスポイント１３０は、ダウンリンクデータの事前知識と、アクセスポイント１３０から中継ノード１４０までのチャネルのチャネル状態情報（ＣＳＩ）と、中継ノード１４０からアクセスポイント１３０までのチャネルと、ノード１１０からアクセスポイント１３０までのチャネルと、中継ノード１４０における利得行列とを利用する。例示的な実施形態に従って、アクセスポイント１３０における受信信号（ｒAP）を以下のように表すことができる。
【００３２】
【数２】
2013515431.tif 000005
【００３３】
信号ｒAPから既知の信号Ｓ1（ステップＳ２２０におけるアクセスポイント１３０によって送信される）を減ずることによって、チャネル行列ＨAP,RNおよびＨRN,APの既知数と利得行列Ｗの既知数とが与えられ、受信信号（ｒAP）から生じた等価信号（ＺAP）を以下のように表すことができる。
【００３４】
【数３】
2013515431.tif 000006
【００３５】
2013515431.tif 000007
【００３６】
本明細書で開示された技術を、複数のアクセスポイント、多数の隠れノードの組、および２以上の中継ノードを含む、ＷＬＡＮに有利に適用することができることを当業者は認識されたい。中継ノード１４０を、専用中継ノードか、標準ノードのいずれかにして、中継ノードとして機能することができる。さらに、本発明の技術を、ＩＥＥＥ８０２．１１ＷＬＡＮ標準の現在のバージョンまたは新しいバージョンに有利に用いることができる。
【００３７】
図４は、本発明の実施形態に従って構築されたネットワークデバイス４００の例示的なブロック図である。ネットワークデバイス４００は典型的には、ＲＦ回路４１５経由で１または複数のアンテナ４４０に結合された、送信変調器４２０および受信復調器４１０を含む。プロセッサ４３０は、メモリ４３５に結合されて、プログラム情報とデータ情報との両方にアクセスする。プロセッサ４３０は、送信機４２０に結合されて送信されるデータを送信する。プロセッサ４３０は、受信機４１０に結合されて復号のための復調データが入力される。送信機４２０は、高レート送信を使用してデータ（Ｓ１）をダウンリンク方向にブロードキャストする。そのデータは、ネットワークデバイス４００のＴＸＯＰ中に送信される。同じＴＸＯＰ中に、受信機４１０は、アップリンク方向に送信されるデータを、信号Ｓ１’として中継ノード１４０から、そして信号Ｓ２としてノードＮ２ １１０から同時に受信する（図２Ｂを参照）。プロセッサ４３０は、ブロードキャストされたデータ（Ｓ１）の事前知識に基づいて混合信号（Ｓ１’とＳ２との混合）から新しいアップリンクデータ（Ｓ２）を復号する。本発明の実施形態に従って、ネットワークデバイス４００はアクセスポイントになる。
【００３８】
上述した詳細な説明では、本発明が採用することができる多くの形態のうちいくつかを説明した。上述の詳細な説明は、本発明が採用することができる形態を選択して説明したものと理解して、本発明の定義を限定するものと理解しないことを意図とする。特許請求の範囲は唯一、本発明の範囲を定義することを意図とするすべての等価物を含む。
【００３９】
より詳細には、発明の原理は、ハードウェア、ファームウェアおよびソフトウェアの任意の組み合わせとして実装される。さらに、ソフトウェアは好適には、１あるいは複数のプログラム記憶ユニットまたはコンピュータ可読媒体デバイス上に明白に具体化される１あるいは複数のアプリケーションプログラムとして実装される。「マシン可読媒体」は、データを記憶する能力がある媒体であり、記憶デバイス、デジタル回路、アナログ回路、またはそれらを組み合わせた形にすることができる。アプリケーションプログラムは、適した任意のアーキテクチャを備えるマシンにアップロードされてもよいし、そのマシンによって実行されてもよい。好適には、そのマシンは、１または複数の中央処理ユニット（「ＣＰＵ」）、メモリ、および入力／出力インタフェースなどのハードウェアを有する、コンピュータプラットフォームまたはプロセッサ上で実装される。コンピュータプラットフォームは、オペレーティングシステムおよびマイクロ命令コードを含んでもよい。本明細書で説明されたさまざまなプロセスおよび機能は、マイクロ命令コードの一部、アプリケーションプログラムの一部、または、それらの任意の組み合わせのいずれかにしてよく、そのようなコンピュータまたはプロセッサが明示的に示されるか否かにかかわらず、ＣＰＵによって実行することができる。さらに、付加的なデータ記憶ユニットおよびプリントユニットなどの、他のさまざまな周辺機器をコンピュータプラットフォームに接続できる。
2013515431.tif 000008
【図１】
2013515431.tif 000009
【図２ａ】
2013515431.tif 000010
【図２ｂ】
2013515431.tif 000011
【図２ｃ】
2013515431.tif 000012
【図３】
2013515431.tif 000013
【図４】
2013515431.tif 000014
【国際調査報告】
2013515431.tif 000015